(57)【要約】【課題】運転者の駐車運転を十分に向上させることができない。【解決手段】駐車評価装置は、駐車目標位置を設定する駐車目標位置設定部と、前記駐車目標位置への駐車経路を演算する駐車経路演算部と、運転者による駐車運転中の車両の位置である自車位置を演算する自車位置演算部と、前記自車位置と前記駐車経路との差分である経路差分を演算する差分演算部と、前記経路差分に基づく前記駐車運転の第１評価情報を前記駐車運転中に報知する出力制御部と、を備える。【選択図】図４
2017218043.tif 000002
【特許請求の範囲】
【請求項１】
駐車目標位置を設定する駐車目標位置設定部と、
前記駐車目標位置への駐車経路を演算する駐車経路演算部と、
運転者による駐車運転中の車両の位置である自車位置を演算する自車位置演算部と、
前記自車位置と前記駐車経路との差分である経路差分を演算する差分演算部と、
前記経路差分に基づく前記駐車運転の第１評価情報を前記駐車運転中に報知する出力制御部と、
を備える駐車評価装置。
【請求項２】
前記駐車運転の終了を判定する判定部を更に備え、
前記駐車経路演算部は、前記判定部が駐車運転終了と判定するまで、前記駐車経路を再度演算しない
請求項１に記載の駐車評価装置。
【請求項３】
前記駐車運転の終了を判定する判定部を更に備え、
前記出力制御部は、前記駐車運転の終了後に前記経路差分の原因に関する第２評価情報を報知する
請求項１または２に記載の駐車評価装置。
【請求項４】
前記出力制御部は、前記車両の車輪を転舵させる操舵部の操舵方向、操舵量及び操舵タイミングの少なくともいずれかを、前記経路差分の原因として前記第２評価情報に含める
請求項３に記載の駐車評価装置。
【請求項５】
前記出力制御部は、前記車両の車輪を転舵させる操舵部の前記経路差分を減少させる操舵方向及び操舵量の少なくとも一方を前記第１評価情報に含める
請求項１から４のいずれか１項に記載の駐車評価装置。
【発明の詳細な説明】
【技術分野】
【０００１】
本発明は、駐車評価装置に関する。
【背景技術】
【０００２】
車両の駐車を評価する駐車評価装置が知られている。例えば、このような駐車評価装置では、撮像された画像から駐車目標位置を検出して、当該駐車目標位置への駐車経路を設定する。駐車評価装置は、駐車過程における切り返し回数、及び、駐車された車両の位置と駐車目標位置との比較等に基づいて、駐車後に運転者に評価結果等を通知する。
【先行技術文献】
【特許文献】
【０００３】
【特許文献１】特開２００７−２１６８０９号公報
【特許文献２】特開２０１１−２５１６６０号公報
【発明の概要】
【発明が解決しようとする課題】
【０００４】
しかしながら、上述の駐車評価装置は、駐車終了後に評価結果をメッセージによって通知するだけなので、運転者の駐車運転を十分に向上させることができないといった課題がある。
【課題を解決するための手段】
【０００５】
上述した課題を解決するために、本発明の駐車評価装置は、駐車目標位置を設定する駐車目標位置設定部と、前記駐車目標位置への駐車経路を演算する駐車経路演算部と、運転者による駐車運転中の車両の位置である自車位置を演算する自車位置演算部と、前記自車位置と前記駐車経路との差分である経路差分を演算する差分演算部と、前記経路差分に基づく前記駐車運転の第１評価情報を前記駐車運転中に報知する出力制御部と、を備える。
【０００６】
これにより、駐車評価装置は、理想駐車経路と実経路との経路差分に基づく第１評価情報を駐車運転中に報知するので、駐車運転中の運転者に自己の駐車運転が適正か否かを認識させることができ、運転者の駐車運転をより向上させることができる。
【０００７】
上述の駐車評価装置において、本発明の駐車評価装置は、前記駐車運転の終了を判定する判定部を更に備え、前記駐車経路演算部は、前記判定部が駐車運転終了と判定するまで、前記駐車経路を再度演算しなくてもよい。これにより、駐車評価装置は、一度演算した理想駐車経路を再度演算することなく、駐車運転を評価するので、演算処理を低減することができる。
【０００８】
上述の駐車評価装置において、本発明の駐車評価装置は、前記駐車運転の終了を判定する判定部を更に備え、前記出力制御部は、前記駐車運転の終了後に前記経路差分の原因に関する第２評価情報を報知してもよい。これにより、駐車評価装置は、経路差分の原因となる第２評価情報を駐車運転終了後に報知するので、運転者の駐車運転をより向上させることができる。
【０００９】
上述の駐車評価装置において、本発明の駐車評価装置の前記出力制御部は、前記車両の車輪を転舵させる操舵部の操舵方向、操舵量及び操舵タイミングの少なくともいずれかを、前記経路差分の原因として前記第２評価情報に含めてもよい。これにより、駐車評価装置は、操舵部の操舵方向、操舵量及び操舵タイミングを経路差分の原因として報知することによって、駐車運転終了後の運転者により具体的なアドバイスを提供できる。
【００１０】
上述の駐車評価装置において、本発明の駐車評価装置の前記出力制御部は、前記車両の車輪を転舵させる操舵部の前記経路差分を減少させる操舵方向及び操舵量の少なくとも一方を前記第１評価情報に含めてもよい。これにより、駐車評価装置は、駐車運転中の第１評価情報に経路差分を減少させる操舵部の操舵方向及び操舵量を報知することによって、駐車運転中の運転者により具体的な情報を提供できる。
【図面の簡単な説明】
【００１１】
【図１】図１は、実施形態の車両の車室の一部が透視された状態が示された例示的な斜視図である。
【図２】図２は、実施形態の車両の例示的な平面図である。
【図３】図３は、実施形態の車両の構成を説明するブロック図である。
【図４】図４は、ＥＣＵの機能を示すブロック図である。
【図５】図５は、ＥＣＵが実行する駐車評価処理のフローチャートである。
【図６】図６は、駐車評価処理中の車両の駐車運転を説明する平面図である。
【図７】図７は、駐車運転中の評価情報の画像の一例を示す図である。
【図８】図８は、駐車運転中の評価情報の画像の一例を示す図である。
【図９】図９は、駐車運転終了後に表示される評価情報の一例を示す図である。
【発明を実施するための形態】
【００１２】
以下の例示的な実施形態や変形例には、同様の構成要素が含まれている。よって、以下では、同様の構成要素には共通の符号が付されるとともに、重複する説明が部分的に省略される。実施形態や変形例に含まれる部分は、他の実施形態や変形例の対応する部分と置き換えて構成されることができる。また、実施形態や変形例に含まれる部分の構成や位置等は、特に言及しない限りは、他の実施形態や変形例と同様である。
【００１３】
＜実施形態＞
図１は、実施形態の車両１の車室２ａの一部が透視された状態が示された例示的な斜視図である。車両１は、例えば、内燃機関（エンジン、図示されず）を駆動源とする自動車（内燃機関自動車）であってもよいし、電動機（モータ、図示されず）を駆動源とする自動車（電気自動車、燃料電池自動車等）であってもよいし、それらの双方を駆動源とする自動車（ハイブリッド自動車）であってもよい。また、車両１は、種々の変速装置を搭載することができるし、内燃機関や電動機を駆動するのに必要な種々の装置（システム、部品等）を搭載することができる。また、車両１における車輪３の駆動に関わる装置の方式、個数、及び、レイアウト等は、種々に設定することができる。
【００１４】
図１に示すように、車両１は、車体２と、操舵部４と、加速操作部５と、制動操作部６と、変速操作部７と、モニタ装置１１とを備える。
【００１５】
車体２は、不図示の乗員が乗車する車室２ａを構成している。車室２ａ内には、乗員としての運転者の座席２ｂに臨む状態で、操舵部４、加速操作部５、制動操作部６、変速操作部７、表示装置８、音声出力装置９、操作入力部１０等が設けられている。
【００１６】
操舵部４は、例えば、ダッシュボードから突出したハンドルまたはステアリングホイールである。操舵部４は、車両１の車輪３を転舵させる。加速操作部５は、例えば、運転者の足下に位置されたアクセルペダルである。制動操作部６は、例えば、運転者の足下に位置されたブレーキペダルである。変速操作部７は、例えば、センターコンソールから突出したシフトレバーである。なお、操舵部４、加速操作部５、制動操作部６、及び、変速操作部７は、これらには限定されない。
【００１７】
モニタ装置１１は、例えば、ダッシュボードの車幅方向すなわち左右方向の中央部に設けられている。モニタ装置１１は、例えば、ナビゲーションシステムまたはオーディオシステム等の機能を有してもよい。モニタ装置１１は、表示装置８、音声出力装置９、及び、操作入力部１０を有する。モニタ装置１１は、スイッチ、ダイヤル、ジョイスティック、及び、押しボタン等の不図示の操作入力部を有してもよい。
【００１８】
表示装置８は、画像情報に基づいて画像を表示する。表示装置８は、例えば、ＬＣＤ（Liquid  Crystal  Display）、または、ＯＥＬＤ（Organic  Electroluminescent  Display）等である。
【００１９】
音声出力装置９は、音声データに基づいて音声を出力する。音声出力装置９は、例えば、スピーカである。音声出力装置９は、モニタ装置１１以外の異なる車室２ａ内の位置に設けられていてもよい。
【００２０】
操作入力部１０は、乗員の入力を受け付ける。操作入力部１０は、例えば、タッチパネルである。操作入力部１０は、表示装置８の表示画面に設けられている。操作入力部１０は、表示装置８が表示する画像を透過可能に構成されている。これにより、操作入力部１０は、表示装置８の表示画面に表示される画像を乗員に視認させることができる。操作入力部１０は、表示装置８の表示画面に表示される画像に対応した位置を乗員が触れることによって入力した指示を受け付ける。
【００２１】
図２は、実施形態の車両１の例示的な平面図である。図１及び図２に示すように、車両１は、例えば、四輪自動車であり、左右二つの前輪３Ｆと、左右二つの後輪３Ｒとを有する。四つの車輪３の全てまたは一部は、転舵可能である。
【００２２】
車両１は、複数の撮像部１５を備える。撮像部１５は、例えば、ＣＣＤ（Charge  Coupled  Device）、または、ＣＩＳ（CMOS  Image  Sensor）等の撮像素子を内蔵するデジタルカメラである。撮像部１５は、所定のフレームレートの動画データを撮像画像データとして出力できる。例えば、撮像部１５は、車両１の周辺を撮像した撮像画像データを出力する。撮像部１５は、それぞれ、広角レンズまたは魚眼レンズを有する。撮像部１５の光軸は、斜め下方に向けて設定されている。従って、撮像部１５は、車両１が移動可能な路面、及び、車両１が駐車可能な領域を含む車体２の周辺の外部の環境を撮像した撮像画像データを出力する。
【００２３】
本実施形態の車両１は、２個の撮像部１５ａ、１５ｂを有する。撮像部１５ａは、例えば、車体２の後側の端部２ｅに位置され、リヤトランクのドア２ｈの下方の壁部に設けられている。撮像部１５ａは、車両１の後方の環境を撮影する。撮像部１５ｂは、例えば、車体２の前側の端部２ｃに位置され、フロントバンパー等に設けられている。撮像部１５ｂは、車両１の前方の環境を撮影する。車両１は、３個以上の撮像部１５を有してもよい。この場合、撮像部１５は、車体２の左側及び右側等に設置してよい。
【００２４】
車両１は、複数のソナーセンサ１６を有する。ソナーセンサ１６は、例えば、超音波等の検出波を出力して、車両１の周囲に存在する他の車両または障害物等の測距対象物が反射した検出波を受信する。これにより、ソナーセンサ１６は、測距対象物までの距離に関する情報である測距情報を送信する。ソナーセンサ１６は、測距情報として、距離そのものを算出して送信してもよく、距離を算出するために必要な検出波の出力の時刻と受信の時刻等を送信してもよい。ソナーセンサ１６が送信する測距情報は、車両１の周囲の物体の検出、及び、車両１の周囲の物体を撮像して測距画像を生成するための情報でもある。
【００２５】
車両１は、例えば２個のソナーセンサ１６ａ、１６ｂを有する。ソナーセンサ１６ａは、例えば、車体２の後側の端部２ｅに位置され、リヤトランクのドア２ｈの下方の壁部に設けられている。ソナーセンサ１６ａは、車両１の後方の測距対象物の測距情報を生成する。ソナーセンサ１６ｂは、例えば、車体２の前側の端部２ｃに位置され、フロントバンパー等に設けられている。ソナーセンサ１６ｂは、車両１の前方の測距対象物の測距情報を生成する。
【００２６】
図３は、実施形態の車両１の構成を説明するブロック図である。図３に示すように、車両１は、操舵システム１３と、ブレーキシステム１８と、舵角センサ１９と、アクセルセンサ２０と、シフトセンサ２１と、車輪速センサ２２と、車内ネットワーク２３と、ＥＣＵ（Electronic  Control  Unit）２４とを更に備える。モニタ装置１１、操舵システム１３、撮像部１５、ソナーセンサ１６、ブレーキシステム１８、舵角センサ１９、アクセルセンサ２０、シフトセンサ２１、車輪速センサ２２、及び、ＥＣＵ２４は、駐車評価システムとして機能する。
【００２７】
操作入力部１０、操舵システム１３、ソナーセンサ１６、ブレーキシステム１８、舵角センサ１９、アクセルセンサ２０、シフトセンサ２１、車輪速センサ２２、及び、ＥＣＵ２４が、電気通信回線である車内ネットワーク２３を介して電気的に接続されている。車内ネットワーク２３は、例えば、ＣＡＮ（Controller  Area  Network）として構成されている。
【００２８】
操舵システム１３は、例えば、電動パワーステアリングシステム、または、ＳＢＷ（Steer  By  Wire）システム等である。操舵システム１３は、アクチュエータ１３ａと、トルクセンサ１３ｂとを有する。操舵システム１３は、ＥＣＵ２４等によって電気的に制御されて、アクチュエータ１３ａを動作させる。操舵システム１３は、アクチュエータ１３ａによって操舵部４にアシストトルク等のトルクを付加して操舵力を補って、車輪３を転舵する。この場合、アクチュエータ１３ａは、一つの車輪３を転舵してもよいし、複数の車輪３を転舵してもよい。また、トルクセンサ１３ｂは、例えば、運転者が操舵部４に与えるトルクを検出する。トルクセンサ１３ｂは、トルクをＥＣＵ２４へ送信する。
【００２９】
ブレーキシステム１８は、例えば、ブレーキのロックを抑制するＡＢＳ（Anti-lock  Brake  System）、コーナリング時の車両１の横滑りを抑制する横滑り防止装置（ＥＳＣ：Electronic  Stability  Control）、ブレーキ力を増強させてブレーキをアシストする電動ブレーキシステム、及び、ＢＢＷ（Brake  By  Wire）を含む。ブレーキシステム１８は、アクチュエータ１８ａと、ブレーキセンサ１８ｂとを有する。ブレーキシステム１８は、ＥＣＵ２４等によって電気的に制御されて、アクチュエータ１８ａを介して、車輪３に制動力を与える。ブレーキシステム１８は、左右の車輪３の回転差などからブレーキのロック、車輪３の空回り、及び、横滑りの兆候等を検出して、各種制御を実行することができる。ブレーキセンサ１８ｂは、例えば、制動操作部６の可動部としてのブレーキペダルの位置を検出する変位センサである。ブレーキセンサ１８ｂは、ブレーキペダルの位置をＥＣＵ２４へ送信する。
【００３０】
舵角センサ１９は、例えば、ハンドル等の操舵部４の操舵量を検出するセンサである。舵角センサ１９は、操舵部４の回転部分の回転角度を操舵量として検出する。舵角センサ１９は、例えば、ホール素子等を有する。舵角センサ１９は、運転者による操舵部４の操舵量、及び、自動操舵時の各車輪３の操舵量等の舵角情報をＥＣＵ２４へ送信する。
【００３１】
アクセルセンサ２０は、例えば、加速操作部５の可動部としてのアクセルペダルの位置を検出する変位センサである。アクセルセンサ２０は、加速操作部５の位置をＥＣＵ２４へ送信する。
【００３２】
シフトセンサ２１は、例えば、変速操作部７の可動部の位置を検出するセンサである。シフトセンサ２１は、変速操作部７の可動部であるレバー、アーム、及び、ボタン等の位置を検出する。シフトセンサ２１は、変位センサを含んでもよく、スイッチとして構成されてもよい。シフトセンサ２１は、変速操作部７の可動部の位置をシフト情報としてＥＣＵ２４へ送信する。
【００３３】
車輪速センサ２２は、車輪３の回転量や単位時間当たりの回転数を検出するセンサである。車輪速センサ２２は、例えば、ホール素子などを有する。車輪速センサ２２は、検出した回転数を示す車輪速パルス数を車輪速情報としてＥＣＵ２４へ送信する。なお、車輪速センサ２２は、ブレーキシステム１８に設けられていてもよい。
【００３４】
ＥＣＵ２４は、駐車評価装置の一例である。ＥＣＵ２４は、車内ネットワーク２３を介して、制御信号を送信して、操舵システム１３、及び、ブレーキシステム１８を制御する。ＥＣＵ２４は、車内ネットワーク２３を介して、トルクセンサ１３ｂ、ブレーキセンサ１８ｂ、舵角センサ１９、ソナーセンサ１６、アクセルセンサ２０、シフトセンサ２１、及び、車輪速センサ２２の検出結果を受信する。ＥＣＵ２４は、撮像部１５から撮像画像データを受信する。尚、ＥＣＵ２４は、車内ネットワーク２３を介して、撮像部１５から撮像画像データを受信してもよい。ＥＣＵ２４は、例えば、コンピュータである。ＥＣＵ２４は、ＣＰＵ（Central  Processing  Unit）２４ａと、ＲＯＭ（Read  Only  Memory）２４ｂと、ＲＡＭ（Random  Access  Memory）２４ｃと、表示制御部２４ｄと、音声制御部２４ｅと、ＳＳＤ（Solid  State  Drive）２４ｆとを備える。ＣＰＵ２４ａ、ＲＯＭ２４ｂ及びＲＡＭ２４ｃは、同一パッケージ内に集積されていてもよい。
【００３５】
ＣＰＵ２４ａは、ＲＯＭ２４ｂ等の不揮発性の記憶装置に記憶されたプログラムを読み出し、当該プログラムにしたがって各種の演算処理および制御を実行する。ＣＰＵ２４ａは、例えば、表示装置８に表示させる画像に関連した画像処理、自車位置の演算、測距対象までの距離の演算、駐車目標位置の設定、自車位置から駐車目標位置への理想駐車経路の演算、及び、運転者の駐車評価を実行する。
【００３６】
ＲＯＭ２４ｂは、各プログラム及びプログラムの実行に必要なパラメータ等を記憶する。ＲＡＭ２４ｃは、ＣＰＵ２４ａでの演算で用いられる各種のデータを一時的に記憶する。表示制御部２４ｄは、ＥＣＵ２４での演算処理のうち、主として、撮像部１５から取得してＣＰＵ２４ａへ出力する撮像画像の処理、ＣＰＵ２４ａから取得して表示装置８に表示させる表示用の画像のデータ変換等を実行する。音声制御部２４ｅは、ＥＣＵ２４での演算処理のうち、主として、ＣＰＵ２４ａから取得して音声出力装置９に出力させる音声の処理を実行する。ＳＳＤ２４ｆは、書き換え可能な不揮発性の記憶部であって、ＥＣＵ２４の電源がオフされた場合にあってもＣＰＵ２４ａから取得したデータを維持する。
【００３７】
本実施形態では、ＥＣＵ２４は、ハードウェアとソフトウェア（制御プログラム）が協働することにより、車両１の制御全般を司る。例えば、ＥＣＵ２４は、ソナーセンサ１６の検出情報等に基づいて設定した駐車目標位置への理想駐車経路を設定する。ＥＣＵ２４は、運転者による駐車運転中の自車位置と理想駐車経路との位置の差分である経路差分を演算して、運転者の駐車運転を評価する。これにより、ＥＣＵ２４は、駐車評価装置としての機能を実現している。
【００３８】
図４は、ＥＣＵ２４の機能を示すブロック図である。図４に示すように、ＥＣＵ２４は、制御部３０と、記憶部３２とを有する。制御部３０は、ＣＰＵ２４ａ、表示制御部２４ｄ、及び、音声制御部２４ｅの機能として実現される。記憶部３２は、ＲＯＭ２４ｂ、ＲＡＭ２４ｃ、及び、ＳＳＤ２４ｆの機能として実現される。
【００３９】
制御部３０は、判定部４０と、障害物検出部４２と、駐車目標位置設定部４４と、駐車経路演算部４６と、自車位置演算部４８と、差分演算部５０と、出力制御部５２とを備える。例えば、ＣＰＵ２４ａが、ＲＯＭ２４ｂまたはＳＳＤ２４ｆ内に格納された駐車評価処理用のプログラムを実行することにより、ＥＣＵ２４は、判定部４０、自車位置演算部４８、障害物検出部４２、駐車目標位置設定部４４、駐車経路演算部４６、差分演算部５０、及び、出力制御部５２の機能を実現する。尚、判定部４０、自車位置演算部４８、障害物検出部４２、駐車目標位置設定部４４、駐車経路演算部４６、差分演算部５０、及び、出力制御部５２の一部または全部を回路等のハードウェアによって構成してもよい。
【００４０】
判定部４０は、シフトセンサ２１からシフト情報を取得する。判定部４０は、車輪速センサ２２から車輪速情報を取得する。判定部４０は、シフト情報及び車輪速情報に基づいて、運転者の駐車意志の有無、駐車運転開始及び駐車終了を判定する。尚、判定部４０は、外部システムからの車速情報を取得して、当該車速情報に基づいて、駐車意志の有無、駐車運転開始及び駐車運転終了を判定してもよい。
【００４１】
具体的には、判定部４０は、車両１が予め定められた速度閾値未満になると、車輪速情報に基づいて、駐車意志が有ると判定する。判定部４０は、駐車意志の有無の判定結果を障害物検出部４２へ出力する。判定部４０は、シフト位置が前進から後進に変更されると、シフト情報に基づいて、駐車運転開始と判定する。判定部４０は、駐車運転開始の判定結果を駐車目標位置設定部４４へ出力する。判定部４０は、シフト位置が前進（例えば、Ｄ：ドライブ）から後進（例えば、Ｒ：リバース）に変更された後、車両１が移動開始すると、駐車運転中と判定する。判定部４０は、駐車運転中と判定した後、シフト位置が前進または後進から停止に変更されると、シフト情報に基づいて、駐車運転終了と判定する。判定部４０は、駐車運転終了の判定結果を出力制御部５２へ出力する。
【００４２】
障害物検出部４２は、車輪速センサ２２から車輪速情報を取得する。障害物検出部４２は、舵角センサ１９から舵角情報を取得する。障害物検出部４２は、ソナーセンサ１６から測距情報を取得する。障害物検出部４２は、判定部４０から駐車意志がある旨の判定結果を取得すると、車輪速情報、舵角情報及び測距情報と、予め定められて記憶部３２に格納された障害物データ５６とに基づいて、車両１の進行方向上及び進行方向近傍の障害物を検出する。尚、障害物検出部４２は、撮像部１５から撮像画像データを取得して、上述の各情報のいずれかと当該撮像画像データとに基づいて、障害物を検出してもよい。障害物検出部４２は、レーザ照射型の測距センサから測距情報を取得して、障害物を検出してもよい。障害物検出部４２は、検出した障害物情報を駐車目標位置設定部４４及び駐車経路演算部４６へ出力する。
【００４３】
駐車目標位置設定部４４は、判定部４０から駐車運転開始の判定結果を取得すると、車両１を駐車する目標の位置である駐車目標位置を設定する。例えば、駐車目標位置設定部４４は、障害物情報に基づいて、駐車の障害となる障害物が存在せず車両１が駐車可能な領域を、駐車目標位置として設定する。駐車目標位置設定部４４は、設定した駐車目標位置を駐車経路演算部４６へ出力する。
【００４４】
駐車経路演算部４６は、障害物情報、及び、駐車目標位置に基づいて、駐車目標位置への理想の駐車経路である理想駐車経路を演算して設定する。例えば、駐車経路演算部４６は、駐車目標位置への距離を算出して、当該距離に対して、円弧モデル、直線モデル、及び、２円モデル等の既知のモデルのいずれかを適用して、経路上に障害物の存在しない理想駐車経路を設定する。駐車経路演算部４６は、円弧モデルを採用した場合、駐車経路が、１個の円の円弧となる理想駐車経路を設定する。駐車経路演算部４６は、直線モデルを採用した場合、１本の直線と１個の円の円弧とを組み合わせた理想駐車経路を設定する。駐車経路演算部４６は、２円モデルを採用した場合、回転方向の異なる（例えば、時計方向と反時計方向）２個の円の円弧の組み合わせた理想駐車経路を設定する。駐車経路演算部４６は、複数円の円弧及び直線を組み合わせた理想駐車経路を設定してもよい。駐車経路演算部４６は、設定した理想駐車経路データ５８を差分演算部５０及び出力制御部５２へ出力するとともに、記憶部３２に格納する。
【００４５】
自車位置演算部４８は、撮像部１５（例えば、撮像部１５ａ）から撮像画像データを取得する。自車位置演算部４８は、撮像画像データに基づいて、運転者による駐車運転中の車両１の位置である自車位置を演算する。尚、自車位置演算部４８は、車輪速センサ２２から車輪速情報を取得して、舵角センサ１９から舵角情報を取得して、車輪速情報及び舵角情報に基づいて、駐車運転中の自車位置を演算してもよい。自車位置演算部４８は、演算した自車位置を差分演算部５０へ出力する。自車位置演算部４８は、例えば、予め定められた時間間隔または距離間隔で自車位置を記憶部３２に記憶する。これにより、自車位置演算部４８は、運転者による駐車運転中の実際の経路である実経路データ６０を記憶部３２に記憶する。
【００４６】
差分演算部５０は、駐車運転中の自車位置と理想駐車経路との差分である経路差分を演算する。例えば、差分演算部５０は、自車位置と、自車位置に最も近い理想駐車経路上の位置との距離を経路差分として演算する。差分演算部５０は、演算した経路差分を出力制御部５２へ出力する。
【００４７】
出力制御部５２は、差分演算部５０から取得した経路差分に基づいて運転者の駐車運転を評価して、当該経路差分に基づく駐車運転の評価情報（第１評価情報に対応）を駐車運転中に報知する。例えば、出力制御部５２は、経路差分が予め定められた評価用閾値以上であれば、駐車運転が適正でないと評価して、不適正であることを示す評価情報を報知する。評価用閾値は０であってもよく、この場合、理想駐車経路から自車位置が少しでもずれると、出力制御部５２は、駐車運転が適正でないと判定する。出力制御部５２は、どのように駐車運転を補正すべきかの補正情報を駐車運転中の評価情報に含めてもよい。補正情報の一例は、経路差分を減少させるための操舵部４の操舵方向及び操舵量の少なくとも一方である。この場合、出力制御部５２は、操舵部４の操舵量が不足している場合、現在の操舵方向へ不足している操舵量だけ更に操舵させる切り足しの補正情報を報知する。一方、出力制御部５２は、操舵部４の操舵量が超過している場合、現在の操舵方向と反対方向に過剰な操舵量だけ操舵させる切り戻しの補正情報を報知する。出力制御部５２は、予め定められて記憶部３２に格納されたメッセージデータ６２に基づいて、表示装置８に画像を表示させて、または、音声出力装置９に音声を出力させて、駐車運転中に評価情報を報知する。
【００４８】
出力制御部５２は、判定部４０から駐車運転終了の判定結果を取得すると、駐車運転の終了後の評価情報（第２評価情報に対応）を画像または音声で報知してもよい。出力制御部５２は、駐車運転終了後の評価情報に、経路差分の原因に関するアドバイスを含めてもよい。出力制御部５２は、操舵部４の操舵方向、操舵量及び操舵タイミングの少なくともいずれかを経路差分の原因に関するアドバイスとして、駐車運転終了後の評価情報に含めてよい。ここでいう経路差分は、駐車終了後の実際の駐車位置と駐車目標位置との差分も含む。具体的には、出力制御部５２は、実際の駐車位置が駐車目標位置に対して左右にずれている場合、操舵開始タイミングのずれ、及び、操舵量の不足または超過等を経路差分の原因に関するアドバイスとして報知する。
【００４９】
出力制御部５２は、駐車経路演算部４６から取得した理想駐車経路の難易度を操舵部４の切り返し回数等に基づいて判定して、駐車運転開始前に当該難易度を画像または音声で報知してもよい。例えば、出力制御部５２は、切り返し回数が０回の理想駐車経路の難易度を易しいと判定し、切り返し回数が１回または２回の理想駐車経路の難易度を普通と判定し、切り返し回数が３回以上の理想駐車経路の難易度を難しいと判定する。
【００５０】
図５は、ＥＣＵ２４が実行する駐車評価処理のフローチャートである。図６は、駐車評価処理中の車両１の駐車運転を説明する平面図である。図７及び図８は、駐車運転中の評価情報の画像の一例を示す図である。図９は、駐車運転終了後に表示される評価情報の一例を示す図である。ＥＣＵ２４は、ＣＰＵ２４ａがＲＯＭ２４ｂに記憶された駐車評価処理用のプログラムを読み込むことによって、駐車評価処理を実行する。
【００５１】
図５に示すように、駐車評価処理では、判定部４０が、車輪速情報に基づいて、運転者の駐車意志の有無を判定する（Ｓ１０２）。判定部４０は、運転者の駐車意志が無いと判定している間（Ｓ１０４：Ｎｏ）、ステップＳ１０２を繰り返す。判定部４０は、車両１の速度が速度閾値未満となると、車輪速情報に基づいて運転者の駐車意志が有ると判定して（Ｓ１０４：Ｙｅｓ）、当該判定結果を障害物検出部４２へ出力する。
【００５２】
障害物検出部４２は、ソナーセンサ１６の測距情報と、車輪速センサ２２の車輪速情報と、舵角センサ１９の舵角情報と、記憶部３２の障害物データ５６とに基づいて、車両１の周辺の障害物を検出する（Ｓ１０６）。障害物検出部４２は、検出した障害物の情報を駐車目標位置設定部４４及び駐車経路演算部４６へ出力する。
【００５３】
判定部４０は、シフト情報に基づいて、駐車運転が開始したか否かを判定する（Ｓ１０８）。判定部４０は、駐車運転開始と判定するまで（Ｓ１１０：Ｎｏ）、ステップＳ１０６以降を繰り返す。図６の位置ＰＳ１に車両１が停車している状態において、判定部４０は、シフト位置が前進から後進へと切り替えられると、シフト情報に基づいて駐車運転開始と判定して（Ｓ１１０：Ｙｅｓ）、当該判定結果を駐車目標位置設定部４４へ出力する。
【００５４】
駐車目標位置設定部４４は、判定部４０から駐車運転開始の判定結果を取得すると、障害物検出部４２から取得した障害物情報に基づいて、車両１が駐車可能の領域を検出して、駐車目標位置を設定する（Ｓ１１２）。駐車目標位置設定部４４は、駐車目標位置を駐車経路演算部４６へ出力する。
【００５５】
駐車経路演算部４６は、駐車目標位置設定部４４から駐車目標位置を取得すると、障害物情報及び駐車目標位置に基づいて、理想の駐車経路である理想駐車経路を演算して設定する（Ｓ１１４）。駐車経路演算部４６は、設定した理想駐車経路を差分演算部５０及び出力制御部５２へ出力するとともに、記憶部３２に記憶する。
【００５６】
出力制御部５２は、駐車経路演算部４６から理想駐車経路を取得すると、駐車難易度を報知する（Ｓ１１６）。
【００５７】
自車位置演算部４８は、撮像部１５（例えば、撮像部１５ａ）の撮像画像データに基づいて、例えば図６の位置ＰＳ２に示す駐車運転中の車両１の自車位置を演算する（Ｓ１１８）。自車位置演算部４８は、車輪速センサ２２の車輪速情報及び舵角センサ１９の舵角情報に基づいて、自車位置を演算してもよい。自車位置演算部４８は、自車位置を差分演算部５０へ出力するとともに、記憶部３２に記憶する。
【００５８】
差分演算部５０は、理想駐車経路と自車位置の経路差分を演算する（Ｓ１２０）。差分演算部５０は、経路差分を出力制御部５２へ出力する。
【００５９】
出力制御部５２は、経路差分を取得すると、経路差分に基づいて評価した駐車運転の評価情報を報知する（Ｓ１２２）。尚、この段階は駐車運転中なので、出力制御部５２は、評価情報を駐車運転中に報知することになる。例えば、出力制御部５２は、経路差分が評価用閾値以上であれば、駐車運転が不適正であるとして、メッセージデータ６２に基づいて評価情報を画像または音声で報知する。出力制御部５２は、評価情報の一例として、どのように駐車運転を補正すべきかの補正情報を含めてもよい。出力制御部５２は、例えば、現在の自車位置から理想駐車経路へ戻すための操舵部４の操舵方向（操舵部４の切り足しまたは切り戻し）及び操舵量等に関する指示を補正情報として含める。操舵量に関する補正情報を画像として出力する場合、出力制御部５２は、図７に示すハンドルの画像であるハンドル画像７０を表示装置８に表示させた状態から、図８に示すように操舵量に対応する角度回転させたハンドル画像７０に切り替えるとともに、具体的な操舵量を示すメッセージ７２を表示させる。ここで、出力制御部５２は、図７のハンドル画像７０を、理想駐車経路に戻すための理想の操舵部４の操舵量に対応付けられた回転速度に合わせて徐々にハンドル画像７０を回転させた動画を表示しつつ、図８のハンドル画像７０へと切り替えてもよい。
【００６０】
判定部４０は、シフト情報に基づいて、駐車運転が終了か否かを判定する（Ｓ１２４）。判定部４０は、駐車運転終了でないと判定すると（Ｓ１２４：Ｎｏ）、ステップＳ１１８以降を繰り返す。これにより、出力制御部５２は、駐車運転中に複数回評価情報を報知することが可能となる。また、ＥＣＵ２４は、理想駐車経路を演算するステップＳ１１４を含むステップＳ１１６以前の処理を繰り返さないので、駐車経路演算部４６は、一度理想駐車経路を演算すると、判定部４０が駐車運転終了と判定するまで、理想駐車経路を再度演算しない。
【００６１】
判定部４０は、図６の位置ＰＳ３に示すように車両１が停止して、シフト位置が後進から停止に切り替えられると、シフト情報に基づいて駐車運転が終了したと判定すると（Ｓ１２４：Ｙｅｓ）、当該判定結果を出力制御部５２へ出力する。
【００６２】
出力制御部５２は、駐車運転終了の判定結果を取得すると、記憶部３２の理想駐車経路データ５８に基づいて、図９に点線で示すように理想駐車経路の画像である理想駐車経路画像８０を表示装置８に表示させる（Ｓ１２６）。出力制御部５２は、記憶部３２の実経路データ６０に基づいて、図９に実線で示すように実経路の画像である実経路画像８２を理想駐車経路画像８０に重畳させて表示装置８に表示させる（Ｓ１２８）。出力制御部５２は、周辺の道路形状、駐車運転中の実際の車両１の複数の位置に車両画像８４及び点線で示す駐車目標位置画像８６と合わせて、理想駐車経路画像８０及び実経路画像８２を表示装置８に表示させてもよい。出力制御部５２は、メッセージデータ６２に基づいて、駐車運転中の評価情報を画像または音声によって報知する（Ｓ１３０）。出力制御部５２は、例えば評価情報として、駐車運転に関するアドバイスを含めてもよい。出力制御部５２は、例えば、操舵部４の操舵方向、操舵部４の操舵量の不足または超過等の情報、操舵部４の操舵開始または操舵終了のタイミングのずれ等の情報を今後の駐車運転におけるアドバイスとして含めてよい。これにより、ＥＣＵ２４は、駐車評価処理を終了する。
【００６３】
上述したように、ＥＣＵ２４は、理想駐車経路と実経路との経路差分に基づく評価情報を駐車運転中に報知するので、駐車運転中の運転者に自己の駐車運転が適正か否かを認識させることができ、運転者の駐車運転をより向上させることができる。
【００６４】
ＥＣＵ２４は、一度演算した理想駐車経路を再度演算することなく、駐車運転を評価するので、演算処理を低減することができる。
【００６５】
ＥＣＵ２４は、駐車運転中の評価情報と異なる経路差分の原因となる評価情報を駐車運転終了後に報知するので、運転者の駐車運転をより向上させることができる。ＥＣＵ２４は、操舵部４の操舵方向、操舵量及び操舵タイミングを経路差分の原因として報知することによって、駐車運転終了後の運転者により具体的なアドバイスを提供できる。
【００６６】
ＥＣＵ２４は、駐車運転中の評価情報に経路差分を減少させる操舵部４の操舵方向及び操舵量を報知することによって、駐車運転中の運転者により具体的な補正情報を提供できる。
【００６７】
上述した実施形態の各構成の機能、個数、接続関係は適宜変更してよい。また、実施形態のフローチャートにおける各ステップの順序は適宜変更してよい。
【００６８】
例えば、出力制御部５２は、駐車運転中に経路差分が閾値以上となった場合に、警告音等を評価情報として報知してもよい。
【００６９】
本発明の実施形態及び変形例を説明したが、これらの実施形態及び変形例は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１…車両
３…車輪
４…操舵部
２４…ＥＣＵ（駐車評価装置）
４０…判定部
４２…障害物検出部
４４…駐車目標位置設定部
４６…駐車経路演算部
４８…自車位置演算部
５０…差分演算部
５２…出力制御部
【図１】
2017218043.tif 000003
【図２】
2017218043.tif 000004
【図３】
2017218043.tif 000005
【図４】
2017218043.tif 000006
【図５】
2017218043.tif 000007
【図６】
2017218043.tif 000008
【図７】
2017218043.tif 000009
【図８】
2017218043.tif 000010
【図９】
2017218043.tif 000011